(57)【要約】【課題】本発明は、メモリクリア処理が実行された後のサービス制御を迅速に再開することができる。【解決手段】  制御部４４は、メモリ４１の記憶内容がクリアされた場合には、第１不揮発性記憶部４２又は第２不揮発性記憶部４３に記憶されている加入者識別情報の全てをメモリ４１に書き込む。その後に制御部４４は、加入者識別情報以外の残りの加入者情報である残加入者情報をメモリ４１に書き込む。制御部４４は、通信装置からのサービス要求を受信したときに、サービス要求に対応する加入者識別情報がメモリ４１に書き込まれている場合には、サービス制御の少なくとも一部を再開する。【選択図】図２
2007184863.tif 000002
【特許請求の範囲】
【請求項１】
加入者の個々を識別するための加入者識別情報を含む加入者情報を記憶するメモリと、
前記加入者情報を記憶するバックアップ部と、
前記メモリに記憶された前記加入者情報に基づいて、呼制御を含むサービス制御の少なくとも一部を実行するサービス制御部と、
前記メモリの記憶内容がクリアされた場合には、前記バックアップ部に記憶されている前記加入者識別情報の全てを前記メモリに書き込みし、その後に前記加入者識別情報以外の残りの加入者情報である残加入者情報を前記メモリに書き込みする書込部とを備え、
前記サービス制御部は、通信装置からのサービス要求を受信したときに、前記サービス要求に対応する加入者識別情報が前記メモリに書き込まれている場合には、前記サービス制御の少なくとも一部を再開することを特徴とするサービス制御装置。
【請求項２】
前記サービス制御部は、前記サービス要求に対応する加入者識別情報のみが前記メモリに書き込まれている場合には、前記残加入者情報を前記バックアップ部から読み出し、前記加入者識別情報及び前記残加入者情報を用いて前記サービス制御の少なくとも一部を実行することを特徴とする請求項１に記載のサービス制御装置。
【請求項３】
前記バックアップ部は複数備えられ、複数の前記バックアップ部のそれぞれは互いに同一の内容を記憶しており、
前記サービス制御部は、前記残加入者情報を構成する複数の情報のそれぞれを前記複数のバックアップ部から同時に読み出すことを特徴とする請求項２に記載のサービス制御装置。
【請求項４】
加入者の個々を識別するための加入者識別情報を含む加入者情報を記憶するメモリと、前記加入者情報を記憶するバックアップ部とを備えるサービス制御装置を用いたサービス制御方法であって、
前記メモリに記憶された前記加入者情報に基づいて、呼制御を含むサービス制御の少なくとも一部を実行する第１ステップと、
前記メモリの記憶内容がクリアされた場合には、前記バックアップ部に記憶されている前記加入者識別情報の全てを前記メモリに書き込みし、その後に前記加入者識別情報以外の残りの加入者情報である残加入者情報を前記メモリに書き込みする第２ステップとを備え、
前記第１ステップでは、通信装置からのサービス要求を受信したときに、前記サービス要求に対応する加入者識別情報が前記メモリに書き込まれている場合には、前記サービス制御の少なくとも一部を再開することを特徴とするサービス制御方法。
【発明の詳細な説明】
【技術分野】
【０００１】
本発明は、加入者情報を用いてサービス制御を実行するサービス制御装置及びサービス制御方法に関する。
【背景技術】
【０００２】
従来、加入者情報（例えば、電話番号）を用いて、サービス制御を実行するサービス制御装置が提供されている（例えば、特許文献１参照）。例えば、サービス制御には、加入者端末間の通信路の設定／解除を実行する呼制御、加入者端末（例えば、携帯電話機）が属する交換機の位置情報を登録する位置登録制御などが含まれている。
【０００３】
サービス制御装置は、高速にアクセス可能なメモリ（例えば、ＤＲＡＭ）に加入者情報を記憶している。これにより、サービス制御装置は、メモリに記憶された加入者情報を用いてサービス制御の高速処理を実現している。
【０００４】
また、プログラムの異常により加入者情報が破壊される恐れがある。このため、サービス制御装置は、加入者情報をメモリにのみ記憶させるのではなく、不揮発性ディスクにも記憶させている。
【０００５】
更に、サービス制御装置は、その装置の不具合や障害が生じた場合には、メモリに記憶されている加入者情報をクリア（以下、メモリクリア処理）し、不揮発性ディスクに記憶されている加入者情報の全てをメモリに書き込みした後に、サービス制御を再開している。
【特許文献１】特開２００４−８０４３１号公報
【発明の開示】
【発明が解決しようとする課題】
【０００６】
しかしながら、サービス制御装置は、上記メモリクリア処理を実行した場合には、不揮発性ディスクから大容量の加入者情報をメモリに書き込まれなければならず、全ての加入者情報をメモリに書き込むまでには多大な時間を要することとなる。このため、サービス制御装置は、メモリクリア処理を実行した場合には、メモリに書き込まれた加入者情報を用いてサービス制御を迅速に再開することができなかった。
【０００７】
そこで、本発明は以上の点に鑑みて成されたものであり、メモリクリア処理が実行された後のサービス制御を迅速に再開することができるサービス制御装置及びサービス制御方法を提供することを目的とする。
【課題を解決するための手段】
【０００８】
上記課題を解決するために、本発明の第１の特徴は、加入者の個々を識別するための加入者識別情報を含む加入者情報を記憶するメモリと、加入者情報を記憶するバックアップ部と、メモリに記憶された加入者情報に基づいて、呼制御を含むサービス制御の少なくとも一部を実行するサービス制御部と、メモリの記憶内容がクリア（以下、メモリクリア処理）された場合には、バックアップ部に記憶されている加入者識別情報の全てをメモリに書き込みし、その後に加入者識別情報以外の残りの加入者情報である残加入者情報をメモリに書き込みする書込部とを備え、サービス制御部は、通信装置からのサービス要求を受信したときに、サービス要求に対応する加入者識別情報がメモリに書き込まれている場合には、サービス制御の少なくとも一部を再開することを要旨とする。
【０００９】
かかる本発明の特徴によれば、上記メモリクリア処理が実行された後に、“加入者情報”よりも容量の少ない“加入者識別情報”がメモリに書き込まれる。これにより、サービス制御に最低限必要な加入者識別情報が迅速にメモリに書き込まれることとなるため、サービス制御装置は、当該加入者識別情報を用いたサービス制御を迅速に再開することができる。
【００１０】
本発明の第２の特徴は、サービス要求に対応する加入者識別情報のみがメモリに書き込まれている場合には、サービス制御部は、残加入者情報をバックアップ部から読み出し、加入者識別情報及び残加入者情報を用いてサービス制御の少なくとも一部を実行することを要旨とする。
【００１１】
本発明の第３の特徴は、バックアップ部は複数備えられ、複数のバックアップ部のそれぞれは互いに同一の内容を記憶しており、サービス制御部は、残加入者情報を構成する複数の情報のそれぞれを複数のバックアップ部から同時に読み出すことを要旨とする。
【発明の効果】
【００１２】
本発明の特徴によれば、メモリクリア処理が実行された後のサービス制御を迅速に再開することができる。
【発明を実施するための最良の形態】
【００１３】
（通信システムの構成）
図１は、本実施形態における通信システム１の概略構成図である。図１に示すように、通信システム１は、加入者端末１０と、無線基地局２０と、交換機３０と、サービス制御装置４０とを備える。加入者端末１０は、無線基地局２０に無線接続される。無線基地局２０は、交換機３０に接続される。交換機３０は、サービス制御装置４０に接続される。
【００１４】
サービス制御装置４０は、サービス制御の少なくとも一部を実行する。例えば、サービス制御には、加入者端末１０（ここでは加入者端末１０−１,１０−２）間の通信路の設定／解除を実行する呼制御、加入者端末１０が属する交換機３０の位置情報を登録する位置登録制御（ＨＬＲ機能）などが含まれる。
【００１５】
次に、本実施形態におけるサービス制御装置４０の内部構成について図２を参照しながら説明する。図２に示すように、サービス制御装置４０は、メモリ４１と、第１不揮発性記憶部４２と、第２不揮発性記憶部４３と、制御部４４とを備える。
【００１６】
メモリ４１は、第１不揮発性記憶部４２又は第２不揮発性記憶部４３から読み出された加入者情報を記憶する。また、メモリ４１は、制御部４４からの書き込まれた加入者情報を記憶する。
【００１７】
ここで、図３は、本実施形態における加入者情報の内容を示す図である。加入者情報は、加入者のサービスに関する情報であり、サービス制御が実行されるときに用いられる。図３に示すように、加入者情報には、加入者識別情報と残加入者情報とが含まれている。加入者識別情報は、加入者の個々を識別するための情報（例えば、電話番号）である。
【００１８】
残加入者情報は、加入者識別情報以外の残りの加入者情報である。残加入者情報には、加入者端末１０の位置情報、契約情報などが含まれる。契約情報は、加入者が留守番電話サービスに加入しているか否かを示す情報などのサービス契約に関する情報を含む。
【００１９】
第１不揮発性記憶部４２及び第２不揮発性記憶部４３のそれぞれは、制御部４４からの指示により、同一の情報（ここでは加入者情報）をバックアップする。なお、第１不揮発性記憶部４２及び第２不揮発性記憶部４３は、バックアップ部又は不揮発性ディスクを構成する。
【００２０】
制御部４４は、メモリ４１に記憶された加入者情報に基づいて、サービス制御の少なくとも一部を実行する。制御部４４は、サービス制御装置４０の不具合や障害などの不具合要因が発生した場合には、当該不具合要因が検出されること又は外部からの操作指示が行われることによりメモリ４１の記憶内容をクリアする（以下、メモリクリア処理）。
【００２１】
制御部４４は、メモリクリア処理を実行した場合には、第１不揮発性記憶部４２又は第２不揮発性記憶部４３に記憶されている加入者識別情報（例えば、電話番号）の全てをメモリ４１に書き込みし、その後に加入者識別情報以外の残りの加入者情報である残加入者情報（例えば、位置情報、契約情報）をメモリ４１に書き込む。
【００２２】
制御部４４は、加入者端末１０からのサービス要求を受信したときに、当該サービス要求に対応する加入者識別情報がメモリ４１に書き込まれている場合には、サービス制御の少なくとも一部を再開する。サービス要求には、呼制御を実行するための要求などが含まれている。
【００２３】
例えば、制御部４４は、サービス要求に対応する加入者識別情報のみがメモリ４１に書き込まれている場合には、残加入者情報を第１不揮発性記憶部４２又は第２不揮発性記憶部４３から読み出し、読み出した加入者識別情報及び残加入者情報を用いてサービス制御の少なくとも一部を実行する。
【００２４】
なお、制御部４４は、加入者端末１０からのサービス要求を受信したときに、当該サービス要求に対応する加入者識別情報がメモリ４１に書き込まれていない場合には、当該加入者識別情報を用いたサービス制御を実行しない。制御部４４は、サービス制御部及び書込部を構成する。
【００２５】
（通信システムの動作）
次に、通信システムにおけるサービス制御装置４０の動作について図４を参照しながら説明する。
【００２６】
図４に示すように、Ｓ１において、サービス制御装置４０は、その装置の不具合や障害などの不具合要因が発生した場合には、当該不具合要因が検出されること又は外部からの操作指示によりメモリクリア処理を実行する。
【００２７】
Ｓ３において、サービス制御装置４０は、第１不揮発性記憶部４２又は第２不揮発性記憶部４３に記憶されている加入者識別情報（例えば、電話番号）をメモリ４１に書き込む。
【００２８】
なお、本実施形態では、サービス制御装置４０は、全ての加入者識別情報をメモリ４１に書き込みした後（後述するＳ５のＹＥＳ）に、サービス制御を再開する。
【００２９】
Ｓ５において、サービス制御装置４０は、メモリ４１に加入者識別情報の全てを書き込みした場合にはＳ７の処理に移る。一方、サービス制御装置４０は、メモリ４１に加入者識別情報の全てを書き込みしていない場合にはＳ３の処理に戻る。
【００３０】
Ｓ７において、サービス制御装置４０は、第１不揮発性記憶部４２又は第２不揮発性記憶部４３に記憶されている残加入者情報（例えば、位置情報、契約情報）をメモリ４１に書き込む。
【００３１】
Ｓ９において、サービス制御装置４０は、サービス制御を再開した場合には、交換機３０からサービス要求があるか否か判定する。また、サービス制御装置４０は、この判定がＹＥＳである場合にはＳ１１の処理に移り、ＮＯである場合には本処理を繰り返す。
【００３２】
Ｓ１１において、サービス制御装置４０は、サービス要求に対応する加入者識別情報がメモリ４１に書き込まれているか否か判定する。また、サービス制御装置４０は、この判定がＹＥＳである場合にはＳ１３の処理に移り、ＮＯである場合には本処理を終了する。
【００３３】
Ｓ１３において、サービス制御装置４０は、サービス要求に対応する残加入者情報、すなわちＳ１１の加入者識別情報（例えば、電話番号）以外の残りの加入者情報（例えば、位置情報、契約情報）がメモリ４１に書き込まれているか否か判定する。また、サービス制御装置４０は、この判定がＹＥＳである場合にはＳ１７の処理に移り、ＮＯである場合にはＳ１５の処理に移る。
【００３４】
Ｓ１５において、サービス制御装置４０は、サービス要求に対応する残加入者情報を第１不揮発性記憶部４２又は第２不揮発性記憶部４３から読み出し、読み出した残加入者情報をメモリ４１に書き込む。
【００３５】
Ｓ１７において、サービス制御装置４０は、サービス要求に対応する加入者識別情報及び残加入者情報がメモリ４１に書き込まれているため、当該加入者識別情報及び残加入者情報を用いてサービス制御を実行する。
【００３６】
例えば、サービス制御装置４０が、加入者端末１０−１から無線基地局２０−１,交換機３０を介して、加入者端末１０−２の加入者識別情報（例えば電話番号）を含む着信信号（サービス要求）を受信した場合を考える。この場合のサービス制御の例は以下の通りである。
【００３７】
具体的には、サービス制御装置４０は、メモリ４１にアクセスし、加入者端末１０−２の残加入者情報を特定する。サービス制御装置４０は、特定した残加入者情報に含まれている位置情報を参照し、加入者端末１０−２が属する交換機３０に上記着信信号を転送する。これにより上記着信信号は、交換機３０を介して加入者端末１０−２に転送される。
【００３８】
一方、加入者端末１０−２の残加入者情報に位置情報が含まれていない場合には、サービス制御装置４０は、上記着信信号を該当する交換機３０に転送することができない。このため、上記着信信号であるサービス要求は、サービス制御装置４０により受け入れられないこととなる（いわゆる呼損）。
【００３９】
かかる本発明の特徴によれば、メモリクリア処理が実行された後に、“加入者情報”よりも容量の少ない“加入者識別情報”がメモリ４１に書き込まれる。これにより、サービス制御に最低限必要な加入者識別情報が迅速にメモリ４１に書き込まれることとなるため、サービス制御装置４０は、当該加入者識別情報を用いたサービス制御を迅速に再開することができる。
【００４０】
具体的には、メモリクリア処理が実行された後に、サービス要求に対応する加入者識別情報のみがメモリ４１に書き込まれていれば、サービス制御装置４０は、その加入者識別情報を用いて残加入者情報をバックアップ部から逐次読み出し、当該加入者識別情報及び残加入者情報を用いたサービス制御を実行することができる。これにより、サービス制御装置４０は、メモリクリア処理が実行された後のサービス制御を迅速に再開及び実行することができる。
【００４１】
（変更例）
なお、上記Ｓ７においてサービス制御装置４０は、１の不揮発性記憶部から残加入者情報を読み出し、読み出した残加入者情報をメモリ４１に書き込みしているが、これに限定される分けではない。
【００４２】
具体的には、サービス制御装置４０は、残加入者情報を構成する複数の情報のそれぞれを、複数の不揮発性記憶部（ここでは第１不揮発性記憶部４２及び第２不揮発性記憶部４３）から同時に読み出し、読み出したそれぞれの情報を残加入者情報としてメモリ４１に書き込みしてもよい。
【００４３】
例えば、残加入者情報には位置情報と契約情報とが含まれている場合を考える。この場合には、サービス制御装置４０は、第１不揮発性記憶部４２からは位置情報、第２不揮発性記憶部４３からは契約情報を同時に読み出し、読み出した位置情報及び契約情報を残加入者情報としてメモリ４１に書き込む。
【００４４】
かかる本変更例の特徴によれば、サービス制御装置４０は、残加入者情報を構成する複数の情報のそれぞれを、１の不揮発性記憶部から読み出すのではなく、複数の不揮発性記憶部から同時に読み出す。
【００４５】
このため、サービス制御装置４０は、１の不揮発性記憶部から残加入者情報を読み出すよりも、該当する残加入者情報を高速に読み出すことができ、メモリクリア処理が実行された後のサービス制御をより迅速に実行することができる。
【００４６】
なお、第１不揮発性記憶部４２及び第２不揮発性記憶部４３は、サービス制御装置４０の内側に備えられていることに限定されずに、サービス制御装置４０の外側に備えられてもよい。
【００４７】
以上、本発明の一例を説明したが、具体例を例示したに過ぎず、特に本発明を限定するものではなく、実施形態及び変更例における具体的構成等は、適宜設計変更可能である。また、実施形態及び変更例の具体的構成のそれぞれは、組み合わせることが可能である。さらに、実施形態及び変更例の作用及び効果は、本発明から生じる最も好適な作用及び効果を列挙したに過ぎず、本発明による作用及び効果は、実施形態及び変更例に記載されたものに限定されるものではない。
【図面の簡単な説明】
【００４８】
【図１】本実施形態における通信システムの概略構成図である。
【図２】本実施形態におけるサービス制御装置の内部構成図である。
【図３】本実施形態における加入者情報の内容を示す図である。
【図４】本実施形態におけるサービス制御装置の動作を示す図である。
【符号の説明】
【００４９】
１…通信システム、１０…加入者端末、２０…無線基地局、３０…交換機、４０…サービス制御装置、４１…メモリ、４２…第１不揮発性記憶部、４３…第２不揮発性記憶部、４４…制御部
【図１】
2007184863.tif 000003
【図２】
2007184863.tif 000004
【図３】
2007184863.tif 000005
【図４】
2007184863.tif 000006